(57)【特許請求の範囲】
【請求項１】
枠体と、前記枠体内にスライド可能に配置される障子と、前記障子および枠体の戸先側に配置される錠装置とを備え、
前記錠装置は、前記障子の戸先側の縦框および前記枠体の戸先側の縦枠のうちの一方に取り付けられる錠部材と、前記戸先側の縦框および縦枠のうちの他方に取り付けられる錠受けとを有し、
前記錠部材は、錠基部と、前記錠基部に連続している係合片部とを有していると共に、前記戸先側の縦框および縦枠のうちの一方に対して解錠位置から施錠開始位置を経由して施錠終了位置まで移動可能に構成され、
前記錠受けは、錠受け基部と、前記錠受け基部に連続している係合受け部とを有し、
前記係合受け部は、前記錠受け基部から前記スライド方向に沿って突出した係合ピンと、前記係合ピンに装着された回転可能なローラーとを備え、
前記係合ピンの先端には、その上下方向よりも面外方向における一方側に大きく延出した鍔部が形成され、
前記係合片部に設けられた押付け面と、前記係合ピンの鍔部に設けられた押付け受部とによって、前記錠装置を解錠状態から施錠状態に操作する際に前記押付け面と前記押付け受部とを当接させて前記障子の戸先側の縦框を前記スライド方向において前記枠体の戸先側の縦枠に押し付け可能な押付け機構が構成され、
前記係合片部に設けられる引寄せ面と、前記ローラーに設けられる引寄せ受部とによって、前記錠装置を解錠状態から施錠状態に操作する際に前記引寄せ面と前記引寄せ受部とを当接させて前記障子の戸先側の縦框を当該障子の面外方向における一方側に引き寄せ可能な引寄せ機構が構成される
ことを特徴とする建具。
【請求項２】
請求項１に記載の建具において、
前記押付け面には、前記錠部材が前記施錠開始位置にあるときに前記押付け受部に当接する第一押付け部と、前記錠部材が前記施錠終了位置にあるときに前記押付け受部に当接する第二押付け部とがあり、前記第二押付け部は、前記第一押付け部よりも錠受けから前記スライド方向に離れて配置され、
前記引寄せ面には、前記錠部材が前記施錠開始位置にあるときに前記引寄せ受部に当接する第一引寄せ部と、前記錠部材が前記施錠終了位置にあるときに前記引寄せ受部に当接する第二引寄せ部とがあり、前記第二引寄せ部は、前記第一引寄せ部よりも前記障子の面外方向における他方側に配置される
ことを特徴とする建具。
【請求項３】
請求項１または請求項２に記載の建具において、
前記係合片部は、
前記錠基部に連続している縦片部と、前記縦片部から下方に延出した傾斜片部とを有し、
前記傾斜片部のうち前記錠基部側の面によって前記押付け面が形成され、
前記傾斜片部のうち前記障子の面外方向における他方側に位置する側面によって引寄せ面が形成され、
前記押付け面は、その下縁が上縁よりも前記スライド方向において前記錠受け側に位置するように当該スライド方向に対して傾斜し、
前記引寄せ面は、その下縁が上縁よりも面外方向における一方側に位置するように前記障子の面外方向に対して傾斜する
ことを特徴とする建具。
【請求項４】
請求項１から請求項３のいずれか一項に記載の建具において、
錠部材には、ガイド溝が形成され、
前記ガイド溝は、前記錠基部に形成された上ガイド溝および下ガイド溝によって構成され、
前記上ガイド溝は、上下方向において前記係合片部よりも上側寄りに位置し、
前記下ガイド溝は、上下方向において前記係合片部よりも下側寄りに位置する
ことを特徴とする建具。
【請求項５】
請求項１から請求項４のいずれか一項に記載の建具において、
前記枠体は、前記スライド方向に沿って形成された下レールを備え、
前記障子は、前記下レールに沿って走行可能な可傾戸車と、前記可傾戸車が配置される溝部を形成する下框とを備え、
前記可傾戸車は、前記スライド方向に沿う仮想軸を中心として傾動可能に構成され、
前記錠装置の施錠状態では、前記引寄せ機構による引寄せに基づいて傾斜状態となり、
前記錠装置の解錠状態では、前記障子の自重に基づいて直立状態となる
ことを特徴とする建具。
【発明の詳細な説明】
【技術分野】
【０００１】
本発明は、スライド可能な障子を備える片引き窓、引き違い窓等の建具に関する。
【背景技術】
【０００２】
従来、建具として、枠内に配置された外障子と内障子とを備えており、外障子が内障子に対して引き違い可能に構成された自動開閉防音サッシが知られている（特許文献1参照）。
自動開閉防音サッシでは、外障子および内障子の召合せ框の中央部に締り機構が設置され、上部に上部引寄せ機構が設置され、下部に下部引寄せ機構が設置されている。
また、外障子の戸先側の竪框の上部には、上部引寄せ機構が設置され、下部には下部引寄せ機構が設置されている。
【０００３】
締り機構は、外障子に固定された締り受け部材と、内障子に固定されたロック機構とを備えている。締り受け部材は、引分け面と引寄せ面とを有している。この締り機構は、ロック機構のカム部材が当該締り受け部材に係合する際には、カム部材が引分け面および引寄せ面に当接し、外障子を戸先側へ押し付け、かつ内障子側に引き寄せる構成とされている。
【０００４】
各上部引寄せ機構は、押付け部材を上方移動して枠（上枠）に嵌めることで、外障子を室内側に引き寄せる構成とされている。
各下部引寄せ機構は、カムを下方移動して枠（下枠）に嵌めることで、外障子を室内側に引き寄せる構成とされている。
【先行技術文献】
【特許文献】
【０００５】
【特許文献１】特許第５２９５６９２号公報
【発明の概要】
【発明が解決しようとする課題】
【０００６】
ところで、特許文献１に記載の自動開閉防音サッシでは、外障子を戸先側へ押し付ける締り機構は召合せ框に設定されているだけであり、このような機構は外障子の戸先側へは設定されていない。また、戸先側の上部引寄せ機構および下部引寄せ機構によって外障子の戸先側の竪框を室内側に引き寄せるだけである。このことより、戸先側では、外障子を竪枠に対して面内方向に押し付けられないため、外障子の戸先側の気密性をさらに向上することが困難である。
【０００７】
本発明の目的は、障子の戸先側における気密性を向上できる建具を提供することにある。
【課題を解決するための手段】
【０００８】
本発明の建具は、枠体と、前記枠体内にスライド可能に配置される障子と、前記障子および枠体の戸先側に配置される錠装置とを備え、前記錠装置は、前記障子の戸先側の縦框および前記枠体の戸先側の縦枠のうちの一方に取り付けられる錠部材と、前記戸先側の縦框および縦枠のうちの他方に取り付けられる錠受けとを有し、前記錠部材は、錠基部と、前記錠基部に連続している係合片部とを有していると共に、前記戸先側の縦框および縦枠のうちの一方に対して解錠位置から施錠開始位置を経由して施錠終了位置まで移動可能に構成され、前記錠受けは、錠受け基部と、前記錠受け基部に連続している係合受け部とを有し、前記係合受け部は、前記錠受け基部から前記スライド方向に沿って突出した係合ピンと、前記係合ピンに装着された回転可能なローラーとを備え、前記係合ピンの先端には、その上下方向よりも面外方向における一方側に大きく延出した鍔部が形成され、前記係合片部に設けられた押付け面と、前記係合ピンの鍔部に設けられた押付け受部とによって、前記錠装置を解錠状態から施錠状態に操作する際に前記押付け面と前記押付け受部とを当接させて前記障子の戸先側の縦框を前記スライド方向において前記枠体の戸先側の縦枠に押し付け可能な押付け機構が構成され、前記係合片部に設けられる引寄せ面と、前記ローラーに設けられる引寄せ受部とによって、前記錠装置を解錠状態から施錠状態に操作する際に前記引寄せ面と前記引寄せ受部とを当接させて前記障子の戸先側の縦框を当該障子の面外方向における一方側に引き寄せ可能な引寄せ機構が構成されることを特徴とする。
【０００９】
本発明の建具によれば、障子および枠体の戸先側に配置される錠装置が押付け機構と引寄せ機構との双方を備えており、錠装置を解錠状態から施錠状態に操作する際に押付け機構と押付け面とを当接させることで、障子の戸先側の縦框をスライド方向において枠体の戸先側の縦枠に押し付けることができる。また、この押し付けとともに、錠装置を解錠状態から施錠状態に操作する際に引寄せ面と引寄せ受部とを当接させることで、障子の戸先側の縦框を当該障子の面外方向における一方側に引き寄せることができ、障子の面外方向における一方側に位置する枠体の戸先側の縦枠の室外見付け片部などに取り付けられる気密材に対し、障子を前述した引き寄せによって密着できる。
このように、錠装置の施錠における障子の戸先側の縦框の縦枠への押し付けと引き寄せとの双方によって、戸先側における障子および枠体間の気密性を向上できる。
また、錠部材が前述した押付け面と引寄せ面との双方を有し、錠受けが前述した押付け面と引寄せ面との双方を有するため、錠部材を施錠開始位置から施錠終了位置に移動して施錠する場合には、押付け面を押付け受部に当接しながら障子を戸先側の縦枠に向かって押し付けることができ、かつ、引寄せ面を引寄せ受部に当接しながら障子を面外方向における一方側に引き寄せることができ、障子の面外方向における一方側に位置する枠体の室外見付け片部などに取り付けられる気密材に障子を密着させることができる。これにより、障子の戸先側における気密性を向上できる。また、錠部材に押付け面と引寄せ面の双方を形成し、かつ錠受けに押付け受部と引寄せ受部との双方を形成することによって構成を簡略化でき、部品点数を減らしてコストダウンできる。
更に、係合片部に押付け面と引寄せ面との双方を形成することで、押付け面だけを有する押付け部材や引寄せ面だけを有する引寄せ部材などを別個に形成する必要をなくすことができ、錠部材の構成を簡略化できる。また、係合片部の押付け面および引寄せ面に対応して、係合受け部に押付け受部および引寄せ受部の双方を形成することで、押付け受部だけを有する押付け受部材や引寄せ受部だけを有する引寄せ受け部材を別個に形成する必要をなくすことができ、錠受けの構成を簡略化できる。
加えて、錠部材が施錠開始位置から施錠終了位置まで移動する際や施錠終了位置から施錠開始位置まで移動する際に、錠部材の引寄せ面に当接するローラーは回転するので、錠部材の移動抵抗を低減でき、施錠および解錠を円滑に行うことができる。
【００１０】
本発明の建具では、前記押付け面には、前記錠部材が前記施錠開始位置にあるときに前記押付け受部に当接する第一押付け部と、前記錠部材が前記施錠終了位置にあるときに前記押付け受部に当接する第二押付け部とがあり、前記第二押付け部は、前記第一押付け部よりも錠受けから前記スライド方向に離れて配置され、前記引寄せ面には、前記錠部材が前記施錠開始位置にあるときに前記引寄せ受部に当接する第一引寄せ部と、前記錠部材が前記施錠終了位置にあるときに前記引寄せ受部に当接する第二引寄せ部とがあり、前記第二引寄せ部は、前記第一引寄せ部よりも前記障子の面外方向における他方側に配置されることが好ましい。
このような構成によれば、前述同様に、錠部材を施錠開始位置から施錠終了位置に移動して施錠する場合には、押付け面を押付け受部に当接しながら障子を戸先側の縦枠に向かって押し付けることができ、かつ、引寄せ面を引寄せ受部に当接しながら障子を面外方向における一方側に引き寄せることができ、障子の面外方向における一方側に位置する枠体の室外見付け片部などに取り付けられる気密材に障子を密着させることができる。これにより、障子の戸先側における気密性を向上できる。
【００１２】
本発明の建具では、前記係合片部は、前記錠基部に連続している縦片部と、前記縦片部から下方に延出した傾斜片部とを有し、前記傾斜片部のうち前記錠基部側の面によって前記押付け面が形成され、前記傾斜片部のうち前記障子の面外方向における他方側に位置する側面によって引寄せ面が形成され、前記押付け面は、その下縁が上縁よりも前記スライド方向において前記錠受け側に位置するように当該スライド方向に対して傾斜し、前記引寄せ面は、その下縁が上縁よりも面外方向における一方側に位置するように前記障子の面外方向に対して傾斜することが好ましい。
このような構成によれば、係合片部に各傾斜面を形成することによって押付け面および引寄せ面を簡単に形成でき、各面を形成する加工コストを抑え得る。
【００１４】
本発明の建具では、錠部材には、ガイド溝が形成され、前記ガイド溝は、前記錠基部に形成された上ガイド溝および下ガイド溝によって構成され、前記上ガイド溝は、上下方向において前記係合片部よりも上側寄りに位置し、前記下ガイド溝は、上下方向において前記係合片部よりも下側寄りに位置することが好ましい。
このような構成によれば、錠基部の係合片部に対して上側寄りおよび下側寄りに位置する上ガイド溝および下ガイド溝に対し、障子に設けられるガイドピンが嵌合することによって錠部材を上下方向にガイドできる。このため、錠部材を移動する際に、錠基部が上下方向に対して傾くことを抑制でき、錠部材を上下方向に円滑に移動できる。
【００１５】
本発明の建具では、前記枠体は、前記スライド方向に沿って形成された下レールを備え、前記障子は、前記下レールに沿って走行可能な可傾戸車と、前記可傾戸車が配置される溝部を形成する下框とを備え、前記可傾戸車は、前記スライド方向に沿う仮想軸を中心として傾動可能に構成され、前記錠装置の施錠状態では、前記引寄せ機構による引寄せに基づいて傾斜状態となり、前記錠装置の解錠状態では、前記障子の自重に基づいて直立状態となることが好ましい。
このような構成によれば、可傾戸車の傾動によって錠装置による障子の面外方向における一方側への引寄せを円滑に行うことができる。
また、錠装置を解錠状態とした場合には、可傾戸車は障子の自重によって傾斜状態から直立状態となり、このときに障子は面外方向における他方側に若干移動する。これにより、障子を枠体の気密材から離すことができ、障子の開閉の際に当該障子が気密材に擦れることを低減できて、当該障子の開閉に対する抵抗を小さくできる。
【発明の効果】
【００１６】
本発明によれば、障子の戸先側における気密性を向上できる建具を提供できる。
【図面の簡単な説明】
【００１７】
【図１】本発明の実施形態に係る片引き窓を示す内観姿図。
【図２】前記実施形態に係る片引き窓を示す縦断面図。
【図３】前記実施形態に係る片引き窓を示す横断面図。
【図４】前記実施形態に係る片引き窓の可傾戸車を示す縦断面図。
【図５】前記実施形態に係る片引き窓の錠部材を示す説明図。
【図６】前記実施形態に係る片引き窓の錠受けを示す説明図。
【図７】前記実施形態に係る片引き窓の錠装置の施錠状態を示す横断面図。
【図８】前記実施形態に係る片引き窓の錠装置の解錠状態を示す横断面図。
【図９】前記実施形態に係る片引き窓の錠装置の動作を示す説明図。
【図１０】前記実施形態に係る片引き窓の錠装置の動作を示す説明図。
【図１１】本発明の変形例に係る片引き窓の錠装置を示す説明図。
【図１２】図１１に示す変形例に係る片引き窓の錠装置を示す横断面図。
【図１３】本発明の変形例に係る片引き窓の錠装置を示す説明図。
【図１４】図１３に示す変形例に係る片引き窓の錠装置を示す横断面図。
【図１５】本発明の変形例に係る片引き窓の錠装置を示す説明図。
【図１６】図１５に示す変形例に係る片引き窓の錠装置を示す横断面図。
【発明を実施するための形態】
【００１８】
［本実施形態の構成］
以下、本発明の実施形態を図面に基づいて説明する。
図１〜３において、本実施形態に係る建具である片引き窓１は、建物躯体の開口部に設置されるものであり、窓枠２（枠体）と、図１に示す左半分側に構成される固定窓３と、窓枠２内に左右方向にスライド可能に配置された障子４と、障子４のスライド移動において当該障子４を面外方向にガイドするガイド機構５と、障子４を窓枠２に対し施錠および解錠する錠装置７と、錠装置７の施錠および解錠を操作する操作機構９とを備えている。
【００１９】
窓枠２は、上枠２１、下枠２２および左右の縦枠２３，２４を四周枠組みし、縦枠２３，２４間に中骨２５を設けて構成されている。上枠２１、下枠２２、左右の縦枠２３，２４および中骨２５は、樹脂製の押出形材によって形成された樹脂枠材である。図１において右側に示す縦枠２３は、障子４に対して戸先側に位置しており、後述する戸先側の縦框４３が当接する戸先側の縦枠を構成している。図１において左側に示す縦枠２４は、障子４に対して戸尻側に位置する戸尻側の縦枠を構成している。
【００２０】
上枠２１、下枠２２および左右の縦枠２３，２４は、室外見付け片部２０１、見込み片部２０２および室内見付け片部２０３をそれぞれ有している。見込み片部２０２は、室外見付け片部２０１よりも室外側に延出して形成されている。
上枠２１、下枠２２、縦枠２３の各室外見付け片部２０１と中骨２５とには、閉鎖位置にある障子４に対向して位置する気密材２６が四周連続して取り付けられている。
上枠２１には、障子４を左右方向にスライド案内する上レール２１１が形成されており、下枠２２には、障子４を左右方向にスライド案内する下レール２２１が形成されている。
なお、縦枠２４には、障子４の後述する戸尻側の縦框４４が当接するストッパー部材２４１が装着されている。
【００２１】
固定窓３は、複層ガラス等からなる面材３１の周縁が上枠２１、下枠２２、縦枠２４および中骨２５に形成される開口に嵌め殺しされて構成されている。面材３１の室内面側周縁は、上枠２１、下枠２２、縦枠２４の各室外見付け片部２０１と中骨２５の室内見付け片部２５１とに当接している。面材３１の室外側周縁は、上枠２１、下枠２２、縦枠２４および中骨２５に装着された押縁２７に当接している。
【００２２】
障子４は、上框４１、下框４２、左右の縦框４３，４４および複層ガラス等からなる面材４５を四周框組みして構成されている。上框４１、下框４２および左右の縦框４３，４４は、樹脂製の押出形材によって形成された樹脂框材である。図１において右側に示す縦框４３は戸先側の縦框であり、図１に示す縦框４４は戸尻側の縦框である。
上框４１、下框４２および左右の縦框４３，４４は、室外見付け片部４０１、見込み片部４０２および室内見付け片部４０３をそれぞれ有している。
【００２３】
上框４１の室外見付け片部４０１、見込み片部４０２および室内見付け片部４０３は上溝部４１１を形成している。上框４１の室外見付け片部４０１および室内見付け片部４０３は、障子４の面外方向において上枠２１の室外見付け片部２０１と室内見付け片部２０３との間に配置されている。上溝部４１１には、上レール２１１と、後述する上ガイド機構５０とが配置されている。
【００２４】
下框４２の室外見付け片部４０１、見込み片部４０２および室内見付け片部４０３は下溝部４２１を形成している。下框４２の室外見付け片部４０１および室内見付け片部４０３は、障子４の面外方向において下枠２２の室外見付け片部２０１と室内見付け片部２０３との間に配置されている。下溝部４２１には、可傾戸車４６と、下レール２２１と、後述する下ガイド機構６０とが配置されている。
【００２５】
ここで、可傾戸車４６は、図４に示すように、下溝部４２１に配置されて下框４２に取り付けられる断面略コ字状の取付枠４６１と、取付枠４６１内に配置される可傾枠４６２と、可傾枠４６２に回転可能に支持される戸車４６３とを備えている。可傾枠４６２は、取付枠４６１に対して左右方向に沿う仮想軸を中心として、直立状態から室外側に傾動可能に配置されている。戸車４６３は、下レール２２１に走行可能に係合している。
【００２６】
図４（Ａ）に示すように戸車４６３が直立状態では、可傾枠４６２の上片部は取付枠４６１の上片部に沿って当接配置される。また、図４（Ｂ）に示す室外側への傾斜状態では、可傾枠４６２の取付枠４６１への当接部分は、戸車４６３が下レール２２１に当接する部分よりも障子４の面外方向における室外側に位置する。このため、可傾戸車４６には、障子４の自重に基づいて傾斜状態から直立状態へ復帰する力が与えられる。
錠装置７が施錠状態にある場合には、障子４の室内側への移動が規制され、可傾戸車４６の傾斜状態が維持される。また、錠装置７が解錠状態にある場合には、可傾戸車４６は、障子４の自重に基づいて直立状態に復帰し、障子４は室内側へ移動し、気密材２６から離間する。
【００２７】
縦框４３の室外見付け片部４０１、見込み片部４０２および室内見付け片部４０３は、縦溝部４３１を形成している。縦框４３の室外見付け片部４０１および室内見付け片部４０３は、障子４が閉鎖位置にある状態で、当該障子４の面外方向において縦枠２３の室外見付け片部２０１と室内見付け片部２０３との間に配置される。縦溝部４３１には、後述する錠部材７０が配置されている。
【００２８】
縦框４４は、片引き窓１の召合せ框として構成されている。この縦框４４および中骨２５には、片引き窓１の閉鎖状態で互いに係合する係合片部４４１，２５２がそれぞれ形成されている。係合片部４４１，２５２は、縦框４４および中骨２５に沿って上部、中央部および下部にそれぞれ形成されている。係合片部４４１は、障子４の開放移動によって係合片部２５２から外れ、障子４の閉鎖移動によって係合片部２５２に係合し、縦框４４が室外側へ引き寄せられる。この中骨２５の係合片部２５２に係合する係合片部４４１によって戸尻側引寄せ機構８が構成されている。
【００２９】
ガイド機構５は、図２に示すように、上枠２１側に設置されている上ガイド機構５０と、下枠２２側に設置されている下ガイド機構６０とを備えている。
上ガイド機構５０は、障子４を左右方向および面外方向にガイドする機構である。上ガイド機構５０は、上框４１の室外見付け片部４０１に取り付けられる一つの第一摺動部材５１と、上框４１の室内見付け片部４０３に取り付けられる二つの第二摺動部材５２と、上枠２１の上レール２１１に取り付けられる引寄せ部材５４と、上枠２１の上レール２１１に取り付けられる二つの窪み部材５５とを備えている。引寄せ部材５４および各窪み部材５５は、上レール２１１の切欠き部分にそれぞれ装着されている。
【００３０】
第一摺動部材５１、第二摺動部材５２、引寄せ部材５４および窪み部材５５は、ポリアセタール等（ＰＯＭ）の樹脂製材料によってそれぞれ形成されている。
第一摺動部材５１は、上框４１の室外見付け片部４０１の長手方向における中央部分に配置されており、当該室外見付け片部４０１から室内側に突出した突出部を有している。二つの第二摺動部材５２のうちの一方は、第一摺動部材５１に対して間隔を隔てて戸先側に配置されており、上框４１の室内見付け片部４０３から室外側に突出した突出部を有している。二つの第二摺動部材５２のうちの他方は、第一摺動部材５１に対して間隔を隔てて戸尻側に配置されており、上框４１の室内見付け片部４０３から室外側に突出した突出部を有している。
【００３１】
引寄せ部材５４は、障子４が閉鎖位置にある状態で、第一摺動部材５１に対して障子４の面外方向に対向する位置に配置されており、上レール２１１から室外側に突出した突出部を有している。
二つの窪み部材５５のうちの一方は、障子４が閉鎖位置にある状態で、前記一方の第二摺動部材５２に対して障子４の面外方向に対向する位置に配置されており、上レール２１１のうち上框４１の室内見付け片部４０３に対向する対向面よりも室外側に窪んだ窪み部を有している。二つの窪み部材５５のうちの他方は、障子４が閉鎖位置にある状態で、前記他方の第二摺動部材５２に対して障子４の面外方向に対向する位置に配置されており、上レール２１１のうち上框４１の室内見付け片部４０３に対向する対向面よりも室外側に窪んだ窪み部を有している。
【００３２】
この上ガイド機構５０では、障子４のスライド移動によって第一摺動部材５１および各第二摺動部材５２が引寄せ部材５４および各窪み部材に対して左右方向に移動する。
上ガイド機構５０は、障子４の開放位置（全開位置）から閉鎖直前位置（錠部材７０の施錠開始位置または当該施錠開始位置よりも戸尻側の位置）までの間に障子４がある場合には、第一摺動部材５１および各第二摺動部材５２は上レール２１１にそれぞれ摺動可能に当接しており、この当接によって障子４を左右方向に案内する。
また、上ガイド機構５０は、障子４の閉鎖直前位置から閉鎖位置（全閉位置）までの間に位置に障子４がある場合には、第一摺動部材５１の突出部は引寄せ部材５４の突出部に摺動可能に当接し、かつ、各第二摺動部材５２の突出部は各窪み部材５５の窪み部に入り込むことで、障子４を室外側に引き寄せ案内する。
【００３３】
下ガイド機構６０は、障子４を面外方向にガイドする機構である。下ガイド機構６０は、下框４２の室外見付け片部４０１に取り付けられる前述した一つの第一摺動部材５１と、下枠２２の見込み片部２０２に取り付けられる一つの引寄せ部材６４とを備えている。
下ガイド機構６０の第一摺動部材５１は、下框４２の室外見付け片部４０１の長手方向における中央部分に形成された切欠き部分に上下逆向きに嵌め込まれることによって取り付けられ、その突出部が前記室外見付け片部４０１から室内側に突出して配置されている。
引寄せ部材６４は、下レール２２１から室外側に突出して配置される引寄せ部（突出部）を有している。
【００３４】
この下ガイド機構６０では、障子４のスライド移動によって第一摺動部材５１が引寄せ部材６４に対して左右方向に移動する。
下ガイド機構６０は、障子４の開放位置から閉鎖直前位置までの間に障子４がある場合には、第一摺動部材５１の突出部は引寄せ部材６４の引寄せ部と非当接状態であり、障子４は室外側に引き寄せ案内しない。
また、下ガイド機構６０は、障子４の開放直前位置から閉鎖位置（全閉位置）までの間に障子４がある場合には、第一摺動部材５１の突出部は引寄せ部材６４の引寄せ部に摺動可能に当接して、障子４を室外側に引き寄せ案内する。
【００３５】
錠装置７は、本実施形態では、片引き窓１の戸先側の上部、中央部および下部にそれぞれ設置されており、それぞれ同様に構成されている。従って、以下、中央部の錠装置７について詳細に説明し、上部および下部の錠装置７については説明を省略する。
【００３６】
錠装置７は、戸先側の縦框４３に取り付けられる錠部材７０（本実施形態ではグレモン錠）と、戸先側の縦枠２４に取り付けられる錠受け８０とを有している。
【００３７】
錠部材７０は、図５に示すように、錠基部７１と、係合片部７２と、ガイド溝７３とを有している。
錠基部７１は、基片部７１１と、基片部７１１の室内縦縁に連続する取付片部７１２と、取付片部７１２の室外縦縁に連続する折曲片部７１３とを有している。
基片部７１１は、縦框４３の見込み片部４０２に沿って配置される。
取付片部７１２は、基片部７１１の室内縦縁から戸先側に向かって傾斜している。取付片部７１２には取付孔７１２Ａが形成されており、取付孔７１２Ａにビスを介して後述するハンドル９１の回転操作に連動して上下移動する連動部材に取り付けられている。
折曲片部７１３は、基片部７１１の室外縦縁から戸先側へ折曲して形成されており、その戸先側縦縁に係合片部７２が連続している。
【００３８】
係合片部７２は、錠基部７１の折曲片部７１３の戸先側縦縁から室内側に向かって折曲して形成された縦片部７２１と、縦片部７２１の下縁から下方に延出した傾斜片部７２２とを有している。縦片部７２１は、基片部７１１と平行に配置されている。
傾斜片部７２２の基片部７１１側の面によって押付け面７５が形成されており、傾斜片部７２２の室内側面によって引寄せ面７６が形成されている。
【００３９】
押付け面７５は、本実施形態では、障子４の面外方向に平行であって、当該押付け面７５の下縁が上縁よりも戸先側に位置するように左右方向に対して傾斜している。
押付け面７５には、錠部材７０が施錠開始位置（図９（Ａ）参照）にあるときに後述する押付け受部８５に当接する第一押付け部７５１と、錠部材７０が施錠終了位置（図９（Ｂ）参照）にあるときに押付け受部８５に当接する第二押付け部７５２とがある。第二押付け部７５２は、第一押付け部７５１よりも戸尻側に配置されている。
【００４０】
引寄せ面７６は、左右方向に平行であって、当該引寄せ面７６の下縁が上縁よりも室内側に位置するように障子４の面外方向に対して傾斜している。
引寄せ面７６には、錠部材７０が施錠開始位置（図１０（Ａ）参照）にあるときに後述する引寄せ受部８６に当接する第一引寄せ部７６１と、錠部材７０が施錠終了位置（図１０（Ｂ）参照）にあるときに引寄せ受部８６に当接する第二引寄せ部７６２とがある。第二引寄せ部７６２は、第一引寄せ部７６１よりも障子４の面外方向における室内側に配置されている。
【００４１】
ガイド溝７３は、図５（Ａ）に示すように、錠基部７１の基片部７１１に形成された上ガイド溝７３１および下ガイド溝７３２を有している。
上ガイド溝７３１および下ガイド溝７３２は、それぞれ上下方向に延びて形成されており、縦框４３に固定されたガイドピン４３２にそれぞれ嵌合している。これにより、錠部材７０は縦框４３に図９（Ａ）に示す施錠開始位置から図９（Ｂ）に示す施錠終了位置まで上下移動可能に取り付けられる。
上ガイド溝７３１は、上下方向において係合片部７２に対して上側寄りに位置している。下ガイド溝７３２は、上下方向において係合片部７２に対して下側寄りに位置している。
【００４２】
錠受け８０は、図６に示すように、錠受け基部８１と、係合受け部８２とを有している。錠受け基部８１は、縦枠２３にボルト止めされている。
係合受け部８２は、錠受け基部８１に固定された係合ピン８２１と、係合ピン８２１に回転可能に装着されたローラー８２２とを備えている。
係合ピン８２１は、図７，８に示すように、錠受け基部８１から左右方向において縦框４３側に向かって突出しており、その先端に鍔部８２１Ａを有している。鍔部８２１Ａは、ローラー８２２の表面よりも室外側に延出して形成されている。
鍔部８２１Ａのうちローラー８２２よりも室外側の部分によって押付け面７５に当接する押付け受部８５が形成されている。
また、ローラー８２２の表面によって引寄せ面７６に当接する引寄せ受部８６が形成されている。
【００４３】
本実施形態では、錠部材７０に形成された押付け面７５と、錠受け８０に形成された押付け受部８５とによって押付け機構７９が構成されている。
また、本実施形態では、錠部材７０に形成された引寄せ面７６と、錠受け８０に形成された引寄せ受部８６とによって引寄せ機構８９が構成されている。
【００４４】
操作機構９は、ハンドル９１と、ハンドル９１の回転操作に連動して上下移動する連動部材とを備えている。この連動部材は、上下方向に延びて形成されており、縦框４３の上部、中央部および下部にそれぞれ配置された錠部材７０の取付片部７１２が取り付けられている。
【００４５】
［本実施形態の動作］
以下、本実施形態に係る片引き窓１の障子４の閉鎖移動および施錠動作について説明する。
開放位置にある障子４を手動により戸先側に向かって図８に示す施錠開始位置まで閉鎖移動する。障子４の閉鎖移動は、ガイド機構５によって上レール２１１および下レール２２１に沿って左右方向にガイドされる。内障子が施錠開始位置に到達したときには、ガイド機構５の各第二摺動部材５２は、各窪み部材５５に形成される窪みに対向配置し、各第一摺動部材５１は各引寄せ部材５４，６４に当接しはじめる。
【００４６】
次に、ハンドル９１の回転操作により各錠装置７の錠部材７０を解錠位置から図９（Ａ）に示す施錠開始位置まで下方に移動する。なお、錠部材７０の解錠位置は施錠開始位置よりも上方の位置であって係合片部７２が係合受け部８２から離間した位置である。
錠部材７０が施錠開始位置に配置されると、傾斜片部７２２の押付け面７５における第一押付け部７５１が、係合ピン８２１の鍔部８２１Ａにおける押付け受部８５に当接する。またこのとき、図１０（Ａ）に示すように、傾斜片部７２２の引寄せ面７６における第一引寄せ部７６１が、ローラー８２２の表面における引寄せ受部８６に当接する。
【００４７】
続いて、錠部材７０がさらに下方に移動すると、押付け面７５は押付け受部８５に当接しながら下方に位置変化するので、押付け面７５の押付け受部８５への当接部位は、第一押付け部７５１から縦框４３側に移行する。このとき、押付け面７５には、左右方向における縦枠２３側への押付け力が生じるので、障子４は縦枠２３に向かってさらに１０ｍｍほど閉鎖移動し、縦框４３が縦枠２３側に押し付けられる。図９（Ｂ）に示すように錠部材７０が施錠終了位置に配置されると、押付け面７５の第二押付け部７５２が押付け受部８５に当接する。
また、引寄せ面７６は、引寄せ受部８６に当接しながら下方に位置変化するので、引寄せ面７６の引寄せ受部８６への当接部位は、第一引寄せ部７６１から室外側へ移行する。このとき、引寄せ面７６には、障子４の面外方向における室内側への引寄せ力が生じるので、障子４は、室外側に向かって４ｍｍほど移動し、障子４は、窓枠２に装着された気密材２６に当接する。錠部材７０が施錠終了位置に配置されると、図１０（Ｂ）に示すように、引寄せ面７６の第二引寄せ部７６２が引寄せ受部８６に当接し、障子４は気密材２６に密着する。
このようにして、戸先側の各錠装置７によって障子４が窓枠２に施錠される。
また、ガイド機構５は、障子４の閉鎖移動において各第一摺動部材５１が各引寄せ部材５４，６４に沿って移動しながら室外側へ位置変化するので、上框４１および下框４２の長手方向における中央部分を室外側へ引き寄せる。
さらに、戸尻側引寄せ機構８は、障子４が閉鎖直前位置から閉鎖位置までスライド移動すると、係合片部４４１が係合片部２５２に係合することで、戸尻側の縦框４４を室外側へ引き寄せる。
なお、可傾戸車４６は障子４の室外側への引寄せによって直立状態から室外側への傾斜状態とされる。
このようにして、障子４を閉鎖移動して施錠する。
【００４８】
以下、本実施形態に係る片引き窓１の解錠動作および障子４の開放移動について説明する。
先ず、各錠装置７による施錠状態で、ハンドル９１の回転操作により各錠部材７０を施錠終了位置から施錠開始位置を経て解錠位置まで上方へ移動する。この移動により、傾斜片部７２２の押付け面７５は押付け受部８５から上方へ離間し、錠部材７０が解錠位置に配置されると、傾斜片部７２２の下縁は係合ピン８２１の鍔部８２１Ａよりも上方に位置する。また、錠部材７０の上方への移動により、引寄せ面７６は、引寄せ受部８６から離間する。このようにして各錠装置７による施錠を解錠する。
【００４９】
次に、障子４を左右方向において開放移動すると、ガイド機構５の各第一摺動部材５１は各引寄せ部材５４，６４から外れて上レール２１１、下レール２２１にそれぞれ摺動可能に当接し、各第二摺動部材５２が各窪み部材５５から外れて上レール２１１、下レール２２１にそれぞれ摺動可能に当接する。このとき、可傾戸車４６は、障子４の自重によって傾斜状態から直立状態に復帰する。また、縦框４４の係合片部４４１は係合片部２５２から外れる。
このため、障子４は、面外方向において室内側に移動し、気密材２６から離間し、障子４の開閉において気密材２６に干渉しない位置に配置される。
【００５０】
続いて、障子４を開放移動し、縦框４４をストッパー部材２４１に当接して片引き窓１の開口を全開状態とする。
このようにして、障子４を解錠して開放移動する。
【００５１】
［本実施形態の効果］
（１）本実施形態では、片引き窓１は、窓枠２と、窓枠２内にスライド可能に配置される障子４と、障子４および窓枠２の戸先側に配置される錠装置７とを備え、錠装置７は、押付け機構７９と、引寄せ機構８９とを備え、押付け機構７９は、戸先側の縦框４３側に設けられる押付け面７５と、戸先側の縦枠２３側に設けられる押付け受部８５とを有し、押付け機構７９は、錠装置７を解錠状態から施錠状態に操作する際に押付け面７５と押付け受部８５とを当接させて障子４の戸先側の縦框４３を左右方向（スライド方向）において窓枠２の縦枠２３に押し付け可能に構成され、引寄せ機構８９は、戸先側の縦框４３側に設けられる引寄せ面７６と、戸先側の縦枠２４側に設けられる引寄せ受部８６とを有し、引寄せ機構８９は、錠装置７を解錠状態から施錠状態に操作する際に引寄せ面７６と引寄せ受部８６とを当接させて障子４の戸先側の縦框４３を当該障子４の面外方向における室外側に引き寄せ可能に構成されることを特徴とする。
上記構成を有するため、錠装置７を解錠状態から施錠状態に操作する際に押付け面７５と押付け受部８５とを当接させることで、障子４の戸先側の縦框４３を左右方向において窓枠２の戸先側の縦枠２３に押し付けることができる。また、この押し付けとともに、引寄せ面７６と引寄せ受部８６とを当接させることで、障子４の戸先側の縦框４３を当該障子４の面外方向における室外側に引き寄せることができ、気密材２６に障子４を密着させることができる。
このように、錠装置７の施錠動作における障子４の戸先側の縦框４３の縦枠２３への押し付けと引き寄せとの双方によって、戸先側における障子４および窓枠２間の気密性を向上できる。
さらに、本実施形態では、以下の各効果を発揮できる。
（２）錠装置７は、障子４の戸先側の縦框４３に取り付けられる錠部材７０と、戸先側の縦枠２３に取り付けられる錠受け８０とを有し、錠部材７０は、縦框４３に対して解錠位置から施錠開始位置を経由して施錠終了位置まで移動可能に構成され、押付け面７５および引寄せ面７６は、錠部材７０に形成され、押付け受部８５および引寄せ受部８６は、錠受け８０に形成され、押付け面７５には、錠部材７０が施錠開始位置にあるときに押付け受部８５に当接する第一押付け部７５１と、錠部材７０が施錠終了位置にあるときに押付け受部８５に当接する第二押付け部７５２とがあり、第二押付け部７５２は、第一押付け部７５１よりも錠受け８０から左右方向に離れて配置され、引寄せ面７６には、錠部材７０が施錠開始位置にあるときに引寄せ受部８６に当接する第一引寄せ部７６１と、錠部材７０が施錠終了位置にあるときに引寄せ受部８６に当接する第二引寄せ部７６２とがあり、第二引寄せ部７６２は、第一引寄せ部７６１よりも障子４の面外方向における室内側に配置される。
このため、錠部材７０を施錠開始位置から施錠終了位置に移動して施錠する場合には、押付け面７５を押付け受部８５に当接しながら障子４を戸先側の縦枠２３に向かって押し付けることができ、かつ、引寄せ面７６を引寄せ受部８６に当接しながら障子４を面外方向における室外側に引き寄せることができ、障子４の面外方向における室外側に位置する気密材２６に障子４を密着させることができる。これにより、障子４の戸先側における気密性を向上できる、
また、錠部材７０に押付け面７５と引寄せ面７６の双方を形成し、かつ錠受け８０に押付け受部８５と引寄せ受部８６との双方を形成することによって構成を簡略化でき、部品点数を減らしてコストダウンできる。
（３）錠部材７０は、錠基部７１と、錠基部７１に連続している係合片部７２とを有し、錠受け８０は、錠受け基部８１と、錠受け基部８１に連続している係合受け部８２とを有し、係合片部７２には、押付け面７５と、引寄せ面７６とが形成され、係合受け部８２には、押付け面７５に当接する押付け受部８５と、引寄せ面７６に当接する引寄せ受部８６とが形成される。
このため、押付け面７５だけを有する押付け部材や引寄せ面７６だけを有する引寄せ部材などを別個に形成する必要をなくすことができ、錠部材７０の構成を簡略化できる。
また、押付け受部８５だけを有する押付け受部材や引寄せ受部８６だけを有する引寄せ受け部材を別個に形成する必要をなくすことができ、錠受け８０の構成を簡略化できる。
（４）係合片部７２は、錠基部７１に連続している縦片部７２１と、縦片部７２１から下方に延出した傾斜片部７２２とを有し、傾斜片部７２２のうち錠基部７１の基片部７１１側の面によって押付け面７５が形成され、傾斜片部７２２のうち室内側に位置する側面によって引寄せ面７６が形成され、押付け面７５は、その下縁が上縁よりも左右方向において錠受け８０側に位置するように左右方向に対して傾斜し、引寄せ面７６は、その下縁が上縁よりも面外方向における室外側に位置するように障子４の面外方向に対して傾斜する。
このため、係合片部７２に各傾斜面を形成することによって押付け面７５および引寄せ面７６を簡単に形成でき、各面を形成する加工コストを抑え得る。
（５）係合受け部８２は、錠受け基部８１から左右方向に沿って突出しているとともに先端に鍔部８２１Ａを有する係合ピン８２１と、係合ピン８２１に装着された回転可能なローラー８２２とを備え、係合ピン８２１の鍔部８２１Ａに押付け受部８５が形成され、ローラー８２２に引寄せ受部８６が形成される。
このため、錠部材７０が施錠開始位置から施錠終了位置まで移動する際や施錠終了位置から施錠開始位置まで移動する際に、錠部材７０の引寄せ面７６に当接するローラー８２２は回転するので、錠部材７０の移動抵抗を低減でき、施錠および解錠を円滑に行うことができる。
（６）錠部材７０には、ガイド溝７３が形成され、ガイド溝７３は、錠基部７１に形成された上ガイド溝７３１および下ガイド溝７３２によって構成され、上ガイド溝７３１は、上下方向において係合片部７２よりも上側寄りに位置し、下ガイド溝７３２は、上下方向において係合片部７２よりも下側寄りに位置する。
このため、錠基部７１の係合片部７２に対して上側寄りおよび下側寄りに位置する上ガイド溝７３１および下ガイド溝７３２に対し、障子４の縦框４３に設けられるガイドピン４３２が嵌合することによって錠部材７０を上下方向にガイドできる。これにより、錠部材７０を移動する際に、錠基部７１が上下方向に対して傾くことを抑制でき、錠部材７０を上下方向に円滑に移動できる。
（７）窓枠２は、左右方向に沿って形成された下レール２２１を備え、障子４は、下レール２２１に沿って走行可能な可傾戸車４６と、可傾戸車４６が配置される下溝部４２１を形成する下框４２とを備え、可傾戸車４６は、左右方向に沿う仮想軸を中心として傾動可能に構成され、錠装置７の施錠状態では、引寄せ機構８９による引寄せに基づいて傾斜状態となり、錠装置７の解錠状態では、障子４の自重に基づいて直立状態となる。
このため、可傾戸車４６の傾動によって錠装置７による障子４の面外方向における室外側への引寄せを円滑に行うことができる。
また、錠装置７を解錠状態とした場合には、可傾戸車４６は障子４の自重によって傾斜状態から直立状態となり、このときに障子４は室内側へ若干移動する。これにより、障子４を窓枠２の気密材２６から離すことができ、障子４の開閉移動の際に当該障子４が気密材２６に擦れることを低減できて、当該障子４の開閉に対する抵抗を小さくできる。
【００５２】
［変形例］
本発明は、以上の実施形態で説明した構成のものに限定されず、本発明の目的を達成できる範囲での変形例は、本発明に含まれる。
例えば、前記実施形態では、錠部材７０は縦框４３に取り付けられ、錠受け８０は縦枠２３に取り付けられているが、これに限定されず、例えば錠受け８０が縦框４３に取り付けられ、錠部材７０が縦枠２３に取り付けられてもよい。この場合、錠受け８０が縦框４３に取り付けられることで、押付け受部８５および引寄せ受部８６は縦框４３に設けられることとなり、また、錠部材７０が縦枠２３に取り付けられることで、押付け面７５および引寄せ面７６が縦枠２３に設けられることとなる。なお、ハンドル９１の回転操作によって錠受け８０が錠部材７０に対して相対的に上下動することによって、錠装置７は施錠・解錠動作する。
【００５３】
前記実施形態では、係合受け部８２は、係合ピン８２１に装着されたローラー８２２を備えているが、このローラー８２２の構成を省略してもよい。この場合、係合ピン８２１の軸部表面が引寄せ受部８６を構成する。
【００５４】
前記実施形態では、ガイド溝７３は上ガイド溝７３１と下ガイド溝７３２とによって構成されているが、これに限定されず、例えば上下方向に延びた一つのガイド溝によって構成されてもよく、この場合、当該一つのガイド溝に二つのガイドピン４３２が配置される。
【００５５】
前記実施形態では、下框４２の下溝部４２１に傾動可能な可傾戸車４６が配置されているが、これに限られず、例えば下框４２に対して障子４の面外方向に移動可能な戸車が配置されていてもよい。
【００５６】
前記実施形態では、錠装置７は縦框４３および縦枠２３間の上部、中央部および下部にそれぞれ設置されているが、これに限定されず、上部、中央部および下部のうちのいずれか一つまたは二つの部位だけに設置されていてもよい。
【００５７】
前記実施形態では、錠部材７０はグレモン錠として構成されているが、これに限定されず、例えば図１１，１２に示すように、クレセント錠によって構成される錠部材７０Ａを備えていてもよい。錠部材７０Ａは、縦框４３に回転可能に取り付けられており、図１１に示す湾曲形状の押付け面７５と、図１２に示す湾曲形状の引寄せ面７６とを有している。
錠部材７０Ａは、操作機構９の操作により係合ピン１０１を下方に移動し、この係合ピン１０１によって図１１（Ａ），図１２（Ａ）に示す状態から図１１（Ｂ）、図１２（Ｂ）に示す状態に回転される。
この回転により、押付け面７５は、図１１（Ａ）、図１１（Ｂ）に示すように、係合受け部８２の押付け受部８５に当接しながら縦框４３を左右方向において縦枠２３に押し付ける。また、引寄せ面７６は、図１２（Ａ）、図１２（Ｂ）に示すように、係合受け部８２の引寄せ受部８６に当接しながら縦框４３を室外側に引き寄せて障子４を気密材２６に密着させる。
なお、操作機構９の操作により錠部材７０Ａを逆回転することによって解錠可能である。
【００５８】
前記実施形態では、錠部材７０に引寄せ面７６が形成され、錠受け８０に引寄せ受部８６が形成されているが、これに限定されず、例えば図１３，１４に示すように、押付け面７５が形成された錠部材７０Ｂと、引寄せ受部８６が形成された引寄せ受部材１０２と、押付け受部８５が形成された錠受け８０Ｂと、引寄せ受部８６に当接する引寄せ面７６が形成された引寄せ部材１０３とを備えていてもよい。
この場合、操作機構９の操作により錠部材７０Ｂが下方に移動すると、図１３（Ａ）に示すように押付け面７５は押付け受部８５に当接し、かつ、図１４（Ａ）に示すように引寄せ受部材１０２の引寄せ受部８６は引寄せ部材１０３の引寄せ面７６に当接する。この状態で、錠部材７０Ｂがさらに下方に移動すると、押付け面７５は、押付け受部８５に当接しながら縦框４３を左右方向において縦枠２３に押し付け、図１３（Ｂ）に示す状態となる。また、引寄せ面７６は、引寄せ受部８６に当接しながら縦框４３を室外側に引き寄せ、気密材２６に密着させ、図１４（Ｂ）に示す状態となる。
なお、操作機構９の操作により錠部材７０Ｂを上方に移動することにより解錠可能である。
【００５９】
前記実施形態では、錠部材７０に押付け面７５および引寄せ面７６が形成され、錠受け８０に押付け受部８５および引寄せ受部８６が形成されているが、これに限定されず、例えば図１５，１６に示すように、押付け面７５および引寄せ受部８６が形成された錠部材７０Ｃと、押付け受部８５および引寄せ面７６が形成された錠受け８０Ｃとを備えていてもよい。
錠部材７０Ｃは、図１５に示すように、左右方向において縦框４３に位置する傾斜側面によって押付け面７５を形成するとともに、当該傾斜側面と、左右方向において縦枠２３側に位置する側面との双方によって引寄せ受部８６を形成している。
また、錠受け８０Ｃは、図１５，１６においてＶ字状のＶ字面によって引寄せ面７６を形成するとともに、Ｖ字面のうち縦框４３側に位置する半分の傾斜面によって押付け受部８５を形成している。
この場合、操作機構９の操作により錠部材７０Ｃが下方に移動すると、押付け面７５は図１５（Ａ）に示す位置から図１５（Ｂ）に示す位置に移動し、押付け受部８５に当接しながら縦框４３を左右方向において縦枠２３に押付ける。また、引寄せ受部８６は、引寄せ面７６に当接しながら縦框４３を、図１６（Ａ）に示す位置から図１６（Ｂ）に示す位置まで室外側へ引き寄せる。
【００６０】
前記実施形態では、建具として片引き窓１を挙げたが、このほか、引き違い窓などとしても具体化可能である。
【符号の説明】
【００６１】
１…片引き窓（建具）、２…窓枠（枠体）、２０１，４０１…室外見付け片部、２０２，４０２…見込み片部、２０３，４０３…室内見付け片部、２１…上枠、２１１…上レール、２２…下枠、２２１…下レール、２３，２４…縦枠、２４１…ストッパー部材、２５…中骨、２５１…室内見付け片部、２５２…係合片部、２６…気密材、２７…押縁、３…固定窓、３１，４５…面材、４…障子、４１…上框、４１１…上溝部、４２…下框、４２１…下溝部、４３，４４…縦框、４３１…縦溝部、４３２…ガイドピン、４６…可傾戸車、４６１…取付枠、４６２…可傾枠、４６３…戸車、５…ガイド機構、５０…上ガイド機構、５１…第一摺動部材、５２…第二摺動部材、５４，６４…引寄せ部材、５５…窪み部材、６０…下ガイド機構、７…錠装置、７０，７０Ａ，７０Ｂ，７０Ｃ…錠部材、７１…錠基部、７１１…基片部、７１２…取付片部、７１２Ａ…取付孔、７１３…折曲片部、７２，４４１…係合片部、７２１…縦片部、７２２…傾斜片部、７３…ガイド溝、７３１…上ガイド溝、７３２…下ガイド溝、７５…押付け面、７５１…第一押付け部、７５２…第二押付け部、７６…引寄せ面、７６１…第一引寄せ部、７６２…第二引寄せ部、７９…押付け機構、８…戸尻側引寄せ機構８、８０，８０Ｂ，８０Ｃ…錠受け、８１…錠受け基部、８２…係合受け部、８２１…係合ピン、８２１Ａ…鍔部、８２２…ローラー、８５…押付け受部、８６…引寄せ受部、８９…引寄せ機構、９…操作機構、９１…ハンドル、１０１…係合ピン、１０２…引寄せ受部材、１０３…引寄せ部材。
【図１】
0006587914.tif 000002
【図２】
0006587914.tif 000003
【図３】
0006587914.tif 000004
【図４】
0006587914.tif 000005
【図５】
0006587914.tif 000006
【図６】
0006587914.tif 000007
【図７】
0006587914.tif 000008
【図８】
0006587914.tif 000009
【図９】
0006587914.tif 000010
【図１０】
0006587914.tif 000011
【図１１】
0006587914.tif 000012
【図１２】
0006587914.tif 000013
【図１３】
0006587914.tif 000014
【図１４】
0006587914.tif 000015
【図１５】
0006587914.tif 000016
【図１６】
0006587914.tif 000017